(57)【特許請求の範囲】
【請求項１】
箱状に形成されたアッパーキャビネットにおいて、底板と、該底板の前端で立ち上がる前面板が連結されてなり、底板と前面板が、底板の後端側を中心として上下方向に回動開閉できるように構成された上下開閉式アッパーキャビネットであって、前記前面板が外開き可能に分割形成されていることを特徴とする上下開閉式アッパーキャビネット。
【請求項２】
左右の両側板は後端側が壁面に固定されて不動状に設けられていることを特徴とする請求項１に記載の上下開閉式アッパーキャビネット。
【発明の詳細な説明】
【０００１】
【産業上の利用分野】
この発明は、上下開閉式のアッパーキャビネットに関するものである。
【０００２】
【従来の技術及びその課題】
従来、トイレとか洗面所等の天井近くにアッパーキャビネットが設置されているが、このアッパーキャビネットは、背の低い奥様方には手が届かず、収納物の出し入れが困難で、使いにくい場合が多いという問題点があり、このような問題を解決するために、例えば特許第２８２３４８３号，特開昭６２−２７０１０７号，特開平１０−２８６１３１号等で、上下昇降式のアッパーキャビネットが提案されているが、従来構造は何れも、専用ステーとかレール等によるリンク機構が存在し、機械的に複雑な昇降装置が必要であり、製造コスト等が増大してしまうという問題点があった。
【０００３】
【課題を解決するための手段】
本発明は上記従来の問題点に鑑み案出したものであって、背の低い人でも容易に開閉して収納物の出し入れができる単純な機構の上下開閉式アッパーキャビネットを提供せんことを目的とし、その第１の要旨は、箱状に形成されたアッパーキャビネットにおいて、底板と、該底板の前端で立ち上がる前面板が連結されてなり、底板と前面板が、底板の後端側を中心として上下方向に回動開閉できるように構成された上下開閉式アッパーキャビネットであって、前記前面板が外開き可能に分割形成されていることである。
また、第２の要旨は、左右の両側板は後端側が壁面に固定されて不動状に設けられていることである。
【０００４】
【実施例】
以下、本発明の実施例を図面に基づいて説明する。
図１〜図４は、前面板を分割できるように構成したアッパーキャビネットに関するものであり、図５及び図６は、前面板が分割されていないタイプのアッパーキャビネットを示すものである。
なお、図１は、アッパーキャビネットの閉じた状態の斜視図であり、また図２は、開いた状態の斜視図であり、図３は、閉じた状態の縦断面図であり、また図４は、開いた状態の縦断面図である。
また図５は、前面板が分割されないタイプの閉じた状態の概略斜視図であり、図６は、開いた状態の概略斜視図である。なお、図５及び図６においては、一部構成部材を省略化して図示している。
【０００５】
図において、アッパーキャビネット１は、左側板２と右側板３間の上面に天板４が設けられ、この左右の側板２，３及び天板４に挟み込まれて背面に背板５が固定され、この背板５が、トイレとか洗面所の壁面Ｗの上部位置にビス等を介して固定されるもので、壁面Ｗに背板５が固定された状態では、前記左右の側板２，３及び天板４の後端部が壁面Ｗに当接状態となるように構成されており、背板５の下端には２個の蝶番６，６が設けられて、この蝶番６，６を介し背板５に対し底板７が上下方向に昇降して開閉できるように構成されており、この底板７の前端には略９０°折曲して前面板８が固定されており、図１〜図４に示す構造では、この前面板８の上端側には、スライド蝶番９，９により外開き可能に分割部８ａが形成されたものとなっている。なお、この分割部８ａが存在しないタイプが図５及び図６に示すものである。
【０００６】
また、前記左側板２と底板７の左端縁部に亘り、また右側板３と底板７の右端縁部に亘り、それぞれソフトダウンステー１０が設けられて、この左右のソフトダウンステー１０により左右の側板２，３と底板７が連結されており、ソフトダウンステー１０は折曲可能な軸１０ａを有し、図１及び図３のように閉じられた状態では、この軸１０ａを介して折り曲げられるように構成されているとともに、ソフトダウンステー１０は内部にオイルダンパー等の抵抗装置を内蔵しており、底板７及び前面板８が開かれる時にゆっくりと下降できるように設けられたものである。なお、ソフトダウンステー１０に代えて、シリンダ式のガススプリングやオイルダンパーを用いることもできる。
【０００７】
また、底板７の前面板８側の左右の端縁部にはそれぞれプッシュ式ラッチ１１が取り付けられており、このプッシュ式ラッチ１１は、底板７の下方へ突出するプッシュボタン１１ａを有し、また、プッシュボタン１１ａを下方側から押圧することにより左右に動き解除されるラッチ１１ｂを有しており、また、このラッチ１１ｂが係合する受け座１２が、左側板２及び右側板３の前端側にそれぞれ固定されている。
底板７及び前面板８を閉じた状態では、プッシュ式ラッチ１１のラッチ１１ｂが受け座１２に係合して閉止状態が維持されるものであり、プッシュボタン１１ａを下方側から押圧するとラッチ１１ｂが受け座１２から外れて、底板７及び前面板８が下方側へ開かれるように構成されている。
【０００８】
このようなプッシュ式ラッチ１１及び受け座１２は、図５及び図６に示す構造のものにも取り付けられており、また、図５及び図６では図示はしていないが、前述した蝶番６，６及びソフトダウンステー１０，１０も当然設けられているものであり、図の簡略化のためにこれらの部材は図５及び図６では省略されている。
【０００９】
このような構造においては、左右の側板２，３及び天板４の後端側が壁面Ｗに当接されて強固な箱形状を形成しており、底板７及び前面板８が閉じられた状態では、強固に底板７及び前面板８を閉じた状態に支持することができ、内部に良好に収納物を収納させておくことができるものとなる。
収納物を取り出す際には、底板７の下方に立って、プッシュボタン１１ａを上方側へ押圧することにより、ラッチ１１ｂが解除され、ソフトダウンステー１０を介しゆっくりと底板７及び前面板８が下降して、収納物の出し入れが容易なものとなる。さらに、図６に示すように、この下降した状態では、底板７及び前面板８の左右側面側も解放された状態となるため、左右側面がオープン状態となって、収納物の出し入れがより容易となる。
【００１０】
さらに図１〜図４に示す構造のものでは、分割部８ａが形成されているため、小さいものを取り出す場合等には、図２及び図４に示すように、スライド蝶番９を介して分割部８ａを折り曲げて垂下状態とさせると、良好に奥側に手を差し入れることができ、小さいものの出し入れが容易となる。
【００１１】
なお、図７の概略斜視図で示すものは、前記プッシュ式ラッチ１１を前面板８の上端側の中央部に設け、受け座１２を天板４の前端側中央部に設けたものであり、ソフトダウンステー１０及び蝶番６の図示は省略しているが、これらの部材６，１０は前述した実施例のものと同様なものが取り付けられる。
【００１２】
【発明の効果】
本発明は、箱状に形成されたアッパーキャビネットにおいて、底板と、該底板の前端で立ち上がる前面板が連結されてなり、底板と前面板が、底板の後端側を中心として上下方向に回動開閉できるように構成された上下開閉式アッパーキャビネットであって、前記前面板が外開き可能に分割形成されていることにより、高い位置に設置されたアッパーキャビネット内から収納物を取り出す際には底板と前面板が下方側へ回動して開くため、背の低い人でも容易に収納物を出し入れすることが容易となり、使い勝手が良好なものとなる。また、前面板が外開き可能に分割形成されていることにより、さらに小さな収納物にも開いた状態で手が届くようになり、使用勝手が良好なものとなる。
【００１３】
また、左右の両側板は後端側が壁面に固定されて不動状に設けられていることにより、左右の両側板により強固な形状のアッパーキャビネットを構成することができるものとなる。
【図面の簡単な説明】
【図１】前面板分割タイプのアッパーキャビネットの閉じた状態の斜視構成図である。
【図２】図１のアッパーキャビネットの開いた状態の斜視構成図である。
【図３】図１の縦断面構成図である。
【図４】図２の縦断面構成図である。
【図５】前面板に分割部を有さないアッパーキャビネットの閉じた状態の概略斜視構成図である。
【図６】図５のアッパーキャビネットを開けた状態の概略斜視構成図である。
【図７】プッシュ式ラッチの取付部位を変更させたアッパーキャビネットの開いた状態の概略斜視構成図である。
【符号の説明】
１  アッパーキャビネット
２  左側板
３  右側板
４  天板
５  背板
６  蝶番
７  底板
８  前面板
８ａ  分割部
９  スライド蝶番
１０  ソフトダウンステー
１０ａ  軸
１１  プッシュ式ラッチ
１１ａ  プッシュボタン
１１ｂ  ラッチ
１２  受け座
【図１】
0003627169.tif 000002
【図２】
0003627169.tif 000003
【図３】
0003627169.tif 000004
【図４】
0003627169.tif 000005
【図５】
0003627169.tif 000006
【図６】
0003627169.tif 000007
【図７】
0003627169.tif 000008